(57)【要約】【課題】チケットに印刷される広告内容が、消費者にとってより有効な情報となるようなシステムを提供することを目的とする。【解決手段】あるイベントにおけるチケットの広告の印刷で、そのイベントのスポンサーの出資額を基本として決定される優先度を基にして、全体のチケット数に対するそれぞれのスポンサーの広告が印刷されるべきチケット数を計算し、チケット販売時に販売員が取得可能な顧客情報や、アンケートを行うことで取得可能な顧客情報により、販売店側の広告情報を選択し、顧客により的確な広告を行える手段を備えたことを特徴とするチケット広告システム。【選択図】        図１
2004295035.tif 000002
【特許請求の範囲】
【請求項１】
あるイベントにおけるチケットの広告の印刷で、そのイベントのスポンサーの出資額を基本として決定される優先度を基にして、全体のチケット数に対するそれぞれのスポンサーの広告が印刷されるべきチケット数を計算して、チケット広告を印刷する手段を備えたことを特徴とするチケット広告システム。
【請求項２】
あるイベントにおけるチケットの広告の印刷で、チケット購入者が複数枚購入する場合に、購入枚数がそれぞれのスポンサーによる広告の種類を上回らない時は、チケット広告が重ならないように印刷を行うようにし、購入枚数がそれぞれのスポンサーによる広告の種類を上回る場合については、スポンサーの出資額を基本として決定される広告印刷の割合を反映させて印刷を行う手段を備えたことを特徴とするチケット広告システム。
【請求項３】
あるイベントにおけるチケットの広告の印刷で、料金、座席など購入時に取得可能な情報を基にして購入者に最適な広告を、そのイベントのスポンサー広告の中から選択し、チケット広告の印刷をする手段を備えたことを特徴とするチケット広告システム。
【請求項４】
あるイベントにおけるチケットの広告の印刷で、チケットを購入する人が印刷される広告のスポンサーを指定できるようにし、そしてチケット購入時に、チケットを購入する人に指定されたスポンサーの広告をチケットに印刷する手段を備えたことを特徴とするチケット広告システム。
【請求項５】
あるイベントにおけるチケットに広告を印刷する場合に、チケット販売時にチケット購入者のプライベートな情報を取得可能なアンケートを実施し、そのアンケートにより取得できる情報から最適な広告を選択し印刷する手段を備えたことを特徴とするチケット広告システム。
【請求項６】
あるイベントにおけるチケットの広告の印刷で、前述した請求項１、請求項２、請求項３、請求項４、請求項５のチケット広告システムを任意に複数組み合わせる方法により印刷すべき広告を決定しチケット広告を印刷する手段を備えたことを特徴とするチケット広告システム。
【発明の詳細な説明】
【０００１】
【発明の属する技術分野】
本発明は、あるイベントにおけるチケット広告システムに関するものである。
【０００２】
【従来の技術】
ある消費者が例えば、ビールを生産しているメーカー、タバコを生産しているメーカーと食品メーカーをスポンサーにした、イベントに参加するためのチケットを購入すると、そうしたチケットにはよく広告が印刷されている。しかし、その広告内容はスポンサー側（チケットを販売する側）によってあらかじめ決められ、印刷されているものであり、スポンサー側から消費者に一方的に情報が流れる形になっている。
【０００３】
【発明が解決しようとする課題】
しかし、従来の方法によるチケット広告では例えば未成年者のチケット広告に酒類や、タバコの広告が印刷されていたり、チームＡ対チームＢの野球の試合における入場チケットでは、三塁側でチームＡのファンの応援席であるのにチームＢの広告やイベント情報が印刷される可能性が十分にありうる。また、一人の人がチケットを複数枚購入しても、チケットに印刷されている広告は同じものであったりする。このように現状では決してチケットに印刷されている広告はチケットを購入する側にとっても、またチケットを販売する側にとっても効率よく機能しているとは言えない。つまり本発明の目的は、このような問題を解決することにある。
【０００４】
そこで、本発明ではチケットを購入する人側の情報、つまり購入時の料金や指定する座席（禁煙、喫煙、三塁側、一塁側、席のグレードなど）、年齢層などの情報により、スポンサー等チケットを販売する側が広告したい情報を絞込み、チケット購入者により的確な広告を行うチケット広告システムを提供することを目的とする。
【０００５】
【課題を解決するための手段】
以上、本発明を整理して要約すれば以下の構成に集約できる。
【０００６】
（１）あるイベントにおけるチケットの広告の印刷で、そのイベントのスポンサーの出資額を基本として決定される優先度を基にして、全体のチケット数に対するそれぞれのスポンサーの広告が印刷されるべきチケット数を計算して、チケット広告を印刷する手段を備えたことを特徴とするチケット広告システム。
【０００７】
（２）あるイベントにおけるチケットの広告の印刷で、チケット購入者が複数枚購入する場合に、購入枚数がそれぞれのスポンサーによる広告の種類を上回らない時は、チケット広告が重ならないように印刷を行うようにし、購入枚数がそれぞれのスポンサーによる広告の種類を上回る場合については、スポンサーの出資額を基本として決定される広告印刷の割合を反映させて印刷を行う手段を備えたことを特徴とするチケット広告システム。
【０００８】
（３）あるイベントにおけるチケットの広告の印刷で、料金、座席など購入時に取得可能な情報を基にして購入者に最適な広告を、そのイベントのスポンサー広告の中から選択し、チケット広告の印刷をする手段を備えたことを特徴とするチケット広告システム。
【０００９】
（４）あるイベントにおけるチケットの広告の印刷で、チケットを購入する人が印刷される広告のスポンサーを指定できるようにし、そしてチケット購入時に、チケットを購入する人に指定されたスポンサーの広告をチケットに印刷する手段を備えたことを特徴とするチケット広告システム。
【００１０】
（５）あるイベントにおけるチケットに広告を印刷する場合に、チケット販売時にチケット購入者のプライベートな情報を取得可能なアンケートを実施し、そのアンケートにより取得できる情報から最適な広告を選択し印刷する手段を備えたことを特徴とするチケット広告システム。
【００１１】
（６）あるイベントにおけるチケットの広告の印刷で、前述した前記（１）、前記（２）、前記（３）、前記（４）、前記（５）のチケット広告システムを任意に複数組み合わせる方法により印刷すべき広告を決定しチケット広告を印刷する手段を備えたことを特徴とするチケット広告システム。
【００１２】
【発明の実施の形態】
（実施例１）
本発明の実施例を、電鉄会社を経営するＡ社がスポンサーになっている野球チームＡ１（一塁側）と、家電製品を作っているＢ社がスポンサーになっている野球チームＢ３（三塁側）の対戦する場合の野球場の入場券を販売する例を、図を用いて以下詳細に説明する。
【００１３】
図１は本発明の実施例１における概念図であり、１００は、チケットを購入するひとで、１０１はチケット購入時つまり、チケット購入者が窓口でチケットを注文するときにチケット販売員、もしくはチケット販売装置（本実施例では販売員）が取得できる情報で、応援席（三塁側、一塁側）、性別（男性、女性）、座席（Ｓ席、Ａ席、Ｂ席）及び、大人か子供かの情報から構成される。１０２は、チケット購入時の購入者情報から適切なチケット広告を選択する情報端末で、１０３はチケット広告を印刷する印刷装置である。本実施例は、以上説明した大きな４つの要素から構成される。
【００１４】
ここで、購入者が一枚のチケットを購入する場合の流れについて説明する。まず、チケット購入者１００からチケット購入の注文があると、チケット販売員は応援席、座席、大人券か子供券かの情報が正しいかどうかを確認し、視覚情報として購入者の性別を加えて購入者情報１０１を取得する。次にこの情報１０１を情報端末１０２に入力する。
【００１５】
その際の流れについて図２を用いて説明すると、まず判断２００において購入者の要求の座席が三塁側か一塁側かを入力する。一塁側であればＡ１チームの応援席であるので、処理２０１でＡ１チームの球団スポンサーであるＡ社の広告情報を取得する、またここで、三塁側であればＢ３チームの応援席であるので、処理２０２でＢ３チームの球団スポンサーであるＢ社の広告情報を取得する。
【００１６】
次に判断２０３において、情報端末に大人か子供かを入力する。そのとき子供であれば処理２０５で、処理２０１、２０２で取得した広告情報を条件“子供”で絞込みを行う。なお子供が選択されたときと、一人のチケット購入予定者が複数枚注文をしたときのみ、性別による絞込みを行わないことにする。またここで、大人であれば処理２０４で取得した広告情報を条件“大人”で絞り込みを行う。
【００１７】
次に判断２０６で性別が男であるか女であるかを入力する。男性である場合は、処理２０７で前処理により取得した広告情報を条件“男性”で絞り込みを行う。またここで女性が選択されたときは、処理２０８で前処理により取得した広告情報を条件“女性”で絞込みを行う。
【００１８】
次に判断２０９で座席がＳ席、Ａ席かＢ席を入力する。Ｓ席が選択された場合には、処理２１０で前処理より取得した広告情報を条件“Ｓ席”により絞込みを行いチケットに印刷する広告を決定する。またここでＡ席、Ｂ席が選択された場合も同様にそれぞれ、処理２１１、処理２１２において前処理より取得した広告情報を条件“Ａ席”、“Ｂ席”により絞込みを行いチケットに印刷すべき広告を決定する。なおここで、この段階で複数の広告情報が残っている場合には乱数を使用してチケットに印刷する広告を決定し、処理２１３で情報端末のモニターに表示する。ここでチケット広告を確認し次の処理２１４でチケット印刷装置により印刷する。そして最後に印刷されたチケットを窓口のチケット販売員がチケット購入希望者に渡す。
【００１９】
こうすることで、子供のチケットであればファン感謝デーの広告や、Ｂ社であればマスコットを使ったゲーム機等の製品の広告をしたり、大人のチケットであればＡ１、Ｂ３チームに関する試合日程などの広告はもちろん、Ｂ社の家電製品の中でも新製品や、Ａ社であれば電鉄のツアーの広告をしたり、また、女性であればレディース・デイを広告内容に盛り込む。さらにＡ席より料金が高いＳ席のチケットには、より芸術的にも、情報的にも価値のある広告にし、バーゲンセールの特別入場券になる特典を付ける。こうすることで、チケット購入者に対して広告をより的確に行うことができ、また購入者の購買意欲を増加させることができる。
【００２０】
（実施例２）
実施例２では、複数のスポンサーがついているイベントのチケットの印刷に適応させた場合で、スポンサーとなっている会社はＡ社、Ｂ社、Ｃ社、Ｄ社の計４社である。本実施例における全体の構成、処理の流れについては実施例１と非常に類似しているので、特に実施例１と異なる部分について記述する。本実施例ではまず、イベントへのそれぞれの会社の出資割合に、地域に対する密着性を値化したものを加味して、それぞれの会社のチケット広告印刷における優先度を決定する。そして、販売されるチケットの総数に対するそれぞれの会社の広告が印刷されている枚数をその優先度により決定して印刷を行う。
【００２１】
本実施例における情報端末での処理の流れについては、まずＡ〜Ｄ計４社の広告情報を購入者側の情報である性別（男性、女性）、年齢層（小学生、中学生、大学生、大人）、座席（禁煙、喫煙）により絞込みを行い、購入者に見合った広告情報を取り出す。次に、優先度より決定された販売枚数に基づきチケットの広告を印刷し、販売を行う。なお、一人の購入者が複数枚のチケットを購入する場合は、会社の優先度より決定される印刷数、印刷割合を超えない範囲で、同じ内容の広告にならないように最適処理を行い、チケットに印刷する広告を決定する。こうすることで、購入者サイドにとってより的確な広告情報を得ることが可能なだけでなく、販売者サイドにとってもより効率的な広告が行えるようになる。
【００２２】
（実施例３）
本実施例は、請求項５を適用した実施例で映画館の入場チケットの場合について説明する。本実施例における全体の構成、処理の流れについては実施例１と非常に類似しているので、特に実施例１と異なる部分について記述する。
【００２３】
本実施例では、映画館のチケットとして通常のチケットと、アンケート付きの、割引チケットと特典付きチケットをして販売し、そのアンケートをチケット購入前に書き込み購入時に提出するようにする。ここで、購入者はチケットの料金を割り引いてもらうか、特典をもらう。そのアンケートには好きな映画のジャンルや、どの程度映画を見るか、好きな映画俳優など、購入者のプライベートな情報を取得する。このアンケート内容から取得できる購入者のプライベートな情報を、チケットに印刷するの広告情報の絞込みに使用し、前述した例よりもより的確に購入者の興味をそそるような広告を選び出すことが可能となる。また、アンケートでチケットの料金を割り引いたり、特典付きチケットを販売したりすることで消費者の購買意欲を促進することができる。
【００２４】
また、本発明では要旨を逸脱しない範囲で種々変形実施可能であるのはもちろんである。
【００２５】
【発明の効果】
この発明により、チケットに印刷される広告において、スポンサーの出資額等から計算される優先度や、チケットが購入される時にチケット販売側が取得可能な情報、例えばチケット購入者の性別、年齢層、趣味等から最適なチケット広告を選択することで、チケットを購入する側にとっても、またチケットを販売する側にとってもより効率的な広告をすることが可能となる。
【図面の簡単な説明】
【図１】本発明の概念図
【図２】一枚の入場券を購入する場合、情報端末で適切な広告を決定する処理の流れ図
【符号の説明】
１００  チケット購入者
１０１  チケット購入時の情報（購入者情報）
１０２  印刷すべき広告を決定する情報端末
１０３  チケット印刷装置
【図１】
2004295035.tif 000003
【図２】
2004295035.tif 000004